(57)【要約】      （修正有）【課題】広大な農地や森林の放射性物質低減を極めて低コストで行うことができ、しかも短時間で行うことのできる放射能除染方法およびその除染剤を提供する。【解決手段】放射能で汚染された土地や物品の放射能除染方法で、光合成細菌を主成分とする放射能除染剤を散布し、土着菌などの微生物が放射性物質を吸収し、光合成細菌である紅色非硫黄細菌と共助し放射性物質の低減を行う。この放射能除染剤は無害かつ低コストあって、広大な敷地に散布し、効率的に除染を行うことが可能となる。【選択図】図１
2013130574.tif 000002
【特許請求の範囲】
【請求項１】
放射能で汚染された土壌や物品の放射能除染を行う除染剤であって、光合成細菌を主成分とすることを特徴する放射能除染剤。
【請求項２】
前記光合成細菌は、紅色非硫黄細菌であることを特徴とする請求項１に記載の放射能除染剤。
【請求項３】
前記放射能除染剤は、植物性酵素を含むことを特徴とする請求項１に記載の放射能除染剤。
【請求項４】
前記放射能除染剤は、有用微生物群を含むことを特徴とする請求項１に記載の放射能除染剤。
【請求項５】
前記微生物群は、放射能を浴びた土着菌を含むことを特徴とする請求項４に記載の放射能除染剤。
【請求項６】
放射能で汚染された土壌や物品の放射能除染を行う放射能除染方法であって、光合成細菌を主成分とする放射能除染剤を散布することを特徴する放射能除染方法。
【請求項７】
放射能で汚染された土壌の土着菌およびこうじ菌、納豆菌、乳酸菌、酵母菌ならびに米ぬかを混合して耕耘前の水田に散布し、
田植後の潅水した状態の水田に放射能除染剤を潅注することを特徴とする請求項６に記載の放射能除染方法。
【発明の詳細な説明】
【発明の詳細な説明】
【技術分野】
【０００１】  本発明は、放射能物質に汚染された場所を除染する放射能除染方法およびその除染剤に係り、特に光合成菌を使用した放射能除染方法およびその除染剤に関する。
【背景技術】
【０００２】  ２０１１年３月１１日に発生した東日本大地震により引き起こされた福島の原子力発電所の事故は、広範囲に放射性物質を撒き散らし、深刻な放射能汚染の問題を発生させている。一般に原子力発電は、ウラン２３５を核分裂させて発生する熱エネルギーを発電に使用するものであるが、この核分裂により放射性物質が発生する。この放射性物質は、ヨウ素１３１やセシウム１３７、ストロンチュウム９０などであるが、これらの放射性物質の中で特に問題となるのは、放射能レベルが高く半減期が比較的長い（約３０年）セシュウム１３７である。従って、このセシウム１３７の放射能レベルを下げることが、放射能汚染対策のポイントになっていた。【０００３】  従来、こうした放射能汚染に対しては、これらの放射能を低減するために、化科学的な方法を施すもの（例えば特許文献１）や光ビームを利用するもの（例えば特許文献２）があった。しかしながら、特許文献１や特許文献２における方法は、原子力発電所内や実験室内等のように、極めて限定されしかも密閉された空間において実施できるものであり、今回の原発事故で発生した森林や農地のような広大な土壌に対しては、適用できるものではなかった。【０００４】  そこで、このオープン状態の森林や土地に対しては、現実的な方法として、物理的に汚染された表土を剥ぎ取り、粘土粒子にセシウムイオンを絡ませて濃縮されたセシウム１３７を分離して保管する方法や、濃硫酸や濃塩酸を汚染土壌に添加して加熱しセシウム１３７を抽出する減容化方法があった。
【先行技術文献】
【特許文献】
【０００５】
【特許文献１】特開２００６−８２２２５号公報
【特許文献２】特開２０００−１９０１３６号公報
【発明の概要】
【発明が解決しようとする課題】
【０００６】  しかしながら、これらの方法は、汚染土壌の一次的除染であり、根本的な解決にはならならず、この一次的除染した土壌を集積する場所が問題になると共に最終処理どうするかということも問題となっていた。また、広大な土壌を処理するためには莫大なコストがかかるという問題があり、学校のグランドのような限定的な場所を除き事実上不可能に近いものであった。さらに、今回の福島の原発事故では、農地や生活圏土壌以上に広大な面積の森林が放射能汚染されており、日本の安全な水の水源涵養である森林除染については、全く手が付かないという重大な問題もあった。【０００７】  本発明は上述した従来の問題点鑑みなされたものであり、広大な農地や森林の放射能を低減を極めて低コストで行うことができ、しかも短時間で行うことのできる放射能除染方法およびその除染剤を提供するものである。
【課題を解決するための手段】
【０００８】  上記課題を解決するため、本発明に係る放射能除染剤は、放射能で汚染された土壌や物品の放射能除染を行う除染剤であって、光合成細菌を主成分とすることを特徴するものである。【０００９】  また、前記光合成細菌は、紅色非硫黄細菌であることを特徴としている。【００１０】  また、前記放射能除染剤は、植物性酵素を含むことを特徴としている。【００１１】  また、前記放射能除染剤は、有用微生物群を含むことを特徴としている。【００１２】  また、前記微生物群は、放射能を浴びた土着菌を含むことを特徴としている。【００１３】  また、本発明の放射能除染方法は、放射能で汚染された土壌や物品の放射能除染を行う放射能除染方法であって、光合成細菌を主成分とする放射能除染剤を散布することを特徴するものである。【００１４】  さらに、本発明の放射能除染方法は、放射能で汚染された土壌の土着菌およびこうじ菌、納豆菌、乳酸菌、酵母菌ならびに米ぬかを混合して耕耘前の水田に散布し、田植後の潅水した状態の水田に放射能除染剤を潅注することを特徴とするものである
【発明の効果】
【００１５】  本発明によれば、土壌や森林など散布された光合成細菌の紅色非硫黄細菌が放射性物質を体内に吸収して、放射線を出さない物質に変えるので、土壌や森林の放射能レベルを下げ安全な環境を実現できるものである。
【図面の簡単な説明】
【００１６】
【図１】本発明に係る光合成細菌を使用した放射能除染方法により放射能除染を実施した土壌の放射能の変化を示すグラフである。
【図２】本発明に係る光合成細菌を使用した放射能除染方法により放射能除染を実施した牧草のセシウム１３７の変化を示すグラフである。
【発明を実施するための形態】
【００１７】  以下、本発明における放射能除染方法およびその除染剤を詳細に説明する。
本発明における放射能除染方法の特徴は、放射能を低減する物質として、光合成細菌を主成分とする放射能除染剤を使用ことである。この光合成細菌は、原始地球の時代に発生したものである。この光合成細菌は、当時の地球に存在した水と二酸化炭素を原料に、太陽からの光と宇宙からの放射線をエネルギーに成長したものである。即ち、光合成細菌はこの過程において、セシウム１３７などの放射能物質を体内に取り込み、この放射能物質の出す放射線を成長のエネルギーとするものである。従って、この光合成細菌に取り込まれた放射能物質は、放射線がエネルギーとして吸収されるので、放射線の出さない安定的な物質に変化するものと考えられる。本願出願人はこの作用に着目し、現在、緊急の課題となっている放射能除染を行うものである。
【００１８】  また、本発明の放射能除染方法に使用する放射能除染剤は、光合成細菌の中でも紅色非硫黄細菌を使用するものである。この紅色非硫黄細菌は、赤色ないし褐色を呈しており、嫌気性ないし微好気性を示すもので、硫黄泉や停滞水によく見られるものである。
【００１９】  この紅色非硫黄細菌は、他の光合成細菌の中でも特に放射性物質を体内に取り込む性質が強いので、本発明の放射能除染剤においては、この紅色非硫黄細菌を使用するものである。
【００２０】  また、本発明の放射能除染剤は、有用微生物群を含むものである。この有用微生物群は、自然界に広く存在する納豆菌やこうじ菌、乳酸菌、酵母菌などに代表される微生物である。有用微生物群は前記紅色非硫黄細菌の栄養源となり、繁殖を促すものと考えられる。
【００２１】  また、本発明の放射能除染剤は、土着菌を含むものである。この土着菌は有用微生物群と同様に自然界に広く存在する納豆菌やこうじ菌、乳酸菌、酵母菌など代表される微生物であるが、本発明に使用する土着菌は、放射能を浴びたものが必須要件となる。その理由としては、土着菌は放射能を浴びることにより、その一部には死滅するものがあるが、その中には放射能に対する耐性を持つものも現れ、さらには、積極的に体内に取り入れ、前記紅色非硫黄細菌と共助し、放射能低減の効果を高めるものと考えられる。
【００２２】  さらに、本発明の放射能除染剤には、アミノ酸を主体とする植物性酵素を含んでいる。この植物性酵素は、りんご、かき、バナナ、パイナップルなどの大粒果実、あけび、またたび、いちじく、ぶどうなどの小粒果実、ネーブルオレンジ、ハッサク、ミカン、ユズなどの柑橘類、ごぼう、ニンジン、にんにく、れんこんなどの根菜類、玄米、もち米、大麦、米などの穀類、大豆、黒ごま、白ごまなどの豆類、こんぶ、ひじき、のりなどの海藻類、黒糖などの糖類、その他、蜂蜜、澱粉など５０種類あまりの原材料を使用し、低温発酵により時間をかけて熟成することにより得られるものである。この植物性酵素の作用は、紅色非硫黄細菌と土着菌の活動を活発化し、放射能低減効果を高めるものである。
【００２３】  次に、この放射能除染剤の製造方法を説明する。
まず、核となる紅色非硫黄細菌を、アミノ酸を主体とする乳酸菌や酵母菌などの栄養となる有用微生物群を与えて培養する。この間、温度を３０〜３２℃に保ち、嫌気性の状態で２０〜３０日間、定期的に攪拌しながら培養するものである。
【００２４】  このように生成された放射能除染剤は、人畜に無害であり、植物には有用であるので、この放射能除染剤の取り扱いには危険性が全くないものである。
【００２５】  次に、本発明の放射能除染方法を説明する。上述のように生成された放射能除染剤を原液または希釈したものを、散布手段を用いて目的する土地や物などに散布するものである。散布手段としては、狭い土地や物品などのは手軽なジョーロなどを使用してもよいし、広大な農地や森林などには動力噴霧機やヘリコプタなどを使用すれば、効率的に散布できる。
【００２６】  この放射能除染剤を散布した土壌の放射線を測定した結果は、図１に示すように、当初８μＳＶ（マイクロシーベルト）／Ｈを示していた放射線レベルは約２週間後には２μＳＶ／Ｈとなり、大幅に改善されていることが実証されたものである。
【００２７】  さらに、この放射能除染剤を放射能に汚染された牧草に散布した結果は、図２に示すように、当初セシウム量が４７００（ベクレム／ｋｇ）あったものが約６ヶ月後には９７０（ベクレム／ｋｇ）となり、大幅に改善されていることが実証されたものである。
【００２８】    次に、さらに具体的な水田の放射能除染方法を説明する。先づ、放射能で汚染された土壌の土着菌に、こうじ菌、納豆菌、乳酸菌、酵母菌などの有用微生物群と混合し、さらに米ぬかを混ぜて、対象とする耕耘前の水田に散布する。この場合の散布量は１０アール当たり２００ｋｇをメドとする。
【００２９】  次に、耕耘後に水田に潅水して田植えを行い、田植後の潅水した状態の水田に放射能除染剤を潅注する。この場合、放射能除染剤の原液（光合成菌を培養したもの）は１０アール当たり５０ｋｇとし、潅注後に植物性酵素液を１０アール当たり１００ｇ潅注するのが効果的である。
【００３０】  このようにして、水田を除染した結果、下記に示すように、放射能で汚染された土壌で栽培された米の玄米も、放射能低減効果が明確に証明できたものである。
2013130574.tif 000003
【００３１】このように、本発明による放射能除染方法では、広大な農地や森林などの土地の放射能を低減を極めて低コストで行うことができ、しかも短時間で行うことができその効果は絶大なものである。
【図１】
2013130574.tif 000004
【図２】
2013130574.tif 000005